【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
第１のテープ基材と、該第１のテープ基材の一方に面に積層された第１の粘着層とを備えた第１の粘着テープと、
第２のテープ基材と、該第２のテープ基材の一方の面の全面に積層された第２の粘着剤層を備えた第２の粘着テープと
を備え、
前記第２のテープ基材が前記第１の粘着層に積層されるように前記第１の粘着テープと前記第２の粘着テープが積層された積層粘着テープであって、
前記第２の粘着テープの一部は転写粘着テープであり、
前記転写粘着テープは、前記第２の粘着テープが所定のパターンで打ち抜かれた形状を備えた装飾シールとなっており、
前記第２のテープ基材の前記第１の粘着剤層側の面には、前記転写粘着テープの部分にのみ第２の剥離層が形成されていることを特徴とする積層粘着テープ。
【請求項２】
前記第１のテープ基材の前記第１の粘着層が積層されていない面には第１の剥離層が形成され、前記第２の基材の前記第１の粘着剤層側の面には印刷層が形成され、前記転写粘着テープの前記印刷層と前記第１の粘着層の間にのみ第２の剥離層が形成されていることを特徴とする請求項５記載の積層粘着テープ。
【請求項３】
第１のテープ基材と、該第１のテープ基材の一方に面に積層された第１の粘着層とを備えた第１の粘着テープを生成する工程と、
第２のテープ基材と、該第２のテープ基材の一方の面に積層された第２の粘着層を備え、前記第２のテープ基材の前記第１の粘着剤層側の面には、所定のパターンの転写粘着テープとなる部分を除く領域に剥離層が形成された第２の粘着テープを、前記第２のテープ基材が前記第１の粘着層に積層されるように前記第１の粘着テープに積層した積層テープを生成する工程と、
前記積層テープの前記第２の粘着テープを前記所定のパターンで打ち抜いて前記転写粘着テープを形成する工程と、
前記積層テープから前記剥離層が形成された部分の第２の粘着テープを剥離して、前記第１の粘着テープの前記第１の粘着層に前記転写粘着テープが積層された積層粘着テープを生成する工程と
を備えたことを特徴とする積層粘着テープの製造方法。
【請求項４】
第１のテープ基材と、該第１のテープ基材の一方に面に積層された第１の粘着層とを備えた第１の粘着テープを生成する工程と、
第２のテープ基材と、該第２のテープ基材の一方の面の全面に積層された第２の粘着層を備え、前記第２のテープ基材の前記第１の粘着剤層側の面には、所定のパターンの装飾シールとなる部分にのみ第２の剥離層を備えた第２の粘着テープを、前記第２のテープ基材が前記第１の粘着層に積層されるように前記第１の粘着テープに積層した積層テープを生成する工程と、
前記第２の粘着テープの前記装飾シールとなる部分を打ち抜いて転写粘着テープを形成された積層粘着テープを生成する工程と
を備えたことを特徴とする積層粘着テープの製造方法。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
請求項１の発明は、第１のテープ基材と、該第１のテープ基材の一方に面に積層された第１の粘着層と、該第１のテープ基材の他方に面に形成された積層された第１の剥離層を備えた第１の粘着テープと、第２のテープ基材と、該第２のテープ基材の一方の面に積層された第２の粘着剤層を備えた第２の粘着テープとを備え、前記第２のテープ基材が前記第１の粘着層に積層されるように前記第１の粘着テープと前記第２の粘着テープが積層された積層粘着テープであって、前記第２の粘着テープの一部は転写粘着テープであり、前記転写粘着テープは、前記第２の粘着テープが所定のパターンで打ち抜かれた形状を備えた装飾シールとなっており、前記第２のテープ基材の前記第１の粘着剤層側の面には印刷層が形成され、前記転写粘着テープの前記印刷層と前記第１の粘着層の間にのみ第２の剥離層が形成されている積層粘着テープを提供して、上記課題を解決するものである。
【手続補正７】
【補正対象書類名】明細書
【補正対象項目名】００１３
【補正方法】変更
【補正の内容】
【００１３】
請求項２の発明は、前記第１のテープ基材の前記第１の粘着層が積層されていない面には第１の剥離層が形成され、前記第２の基材の前記第１の粘着剤層側の面には印刷層が形成され、前記転写粘着テープの前記印刷層と前記第１の粘着層の間にのみ第２の剥離層が形成されている積層粘着テープを提供して、上記課題を解決するものである。
【手続補正８】
【補正対象書類名】明細書
【補正対象項目名】００１４
【補正方法】変更
【補正の内容】
【００１４】
請求項３の発明は、第１のテープ基材と、該第１のテープ基材の一方に面に積層された第１の粘着層とを備えた第１の粘着テープを生成する工程と、第２のテープ基材と、該第２のテープ基材の一方の面に積層された第２の粘着層を備え、前記第２のテープ基材の前記第１の粘着剤層側の面には、所定のパターンの転写粘着テープとなる部分を除く領域に剥離層が形成された第２の粘着テープを、前記第２のテープ基材が前記第１の粘着層に積層されるように前記第１の粘着テープに積層した積層テープを生成する工程と、前記積層テープの前記第２の粘着テープを前記所定のパターンで打ち抜いて前記転写粘着テープを形成する工程と、前記積層テープから前記剥離層が形成された部分の第２の粘着テープを剥離して、前記第１の粘着テープの前記第１の粘着層に前記転写粘着テープが積層された積層粘着テープを生成する工程とを備えた積層粘着テープの製造方法を提供して、上記課題を解決するものである。
【手続補正９】
【補正対象書類名】明細書
【補正対象項目名】００１５
【補正方法】変更
【補正の内容】
【００１５】
請求項４の発明は、第１のテープ基材と、該第１のテープ基材の一方に面に積層された第１の粘着層と、該第１のテープ基材の他方に面に形成された積層された第１の剥離層を備えた第１の粘着テープを生成する工程と、第２のテープ基材と、該第２のテープ基材の一方の面に積層された第２の粘着層と、該第２のテープ基材他方の面に形成された印刷層と、該印刷層上の所定のパターンの装飾シールとなる部分にのみ第２の剥離層を備えた第２の粘着テープを、前記第２のテープ基材が前記第１の粘着層に積層されるように前記第１の粘着テープに積層した積層テープを生成する工程と、前記第２の粘着テープの前記装飾シールとなる部分のみを打ち抜いて転写粘着テープを形成された積層粘着テープを生成する工程とを備えた積層粘着テープの製造方法を提供して、上記課題を解決するものである。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】変更
【補正の内容】
【００２０】
請求項１に記載の発明の積層粘着テープにおいては、粘着テープを装飾用として文房具、被服等の物品に貼り付けて使用するに際し、長手方向と直角方向の幅を部分的に狭くしたり、内側領域を部分的にくり抜いたりしたような種々の形状の転写粘着テープを物品に転写して貼り付けることができ、デザイン性や装飾効果を高め、物品に転写して貼り付けた後も容易に剥がすことができるという効果を奏する。
【手続補正１５】
【補正対象書類名】明細書
【補正対象項目名】００２１
【補正方法】変更
【補正の内容】
【００２１】
請求項２に記載の発明の積層粘着テープにおいては、さらに、第１の剥離層が形成されているため、積層粘着テープをロール状に巻き取った場合のブロッキングを防止でき、印刷層が形成されているため、デザイン性や装飾効果をより高めることができ、第２の剥離層が形成されているため、転写粘着テープのみを第１の粘着テープから容易に剥がして転写することができるという効果を奏する。
【手続補正１６】
【補正対象書類名】明細書
【補正対象項目名】００２２
【補正方法】変更
【補正の内容】
【００２２】
請求項３に記載の発明の積層粘着テープの製造方法は、第１のテープ基材と、該第１のテープ基材の一方に面に積層された第１の粘着層とを備えた第１の粘着テープと、第２のテープ基材と、該第２のテープ基材の一方の面に積層された第２の粘着層を備えた第２の粘着テープの一部から形成された転写粘着テープとを備え、前記転写粘着テープの前記第２のテープ基材が前記第１の粘着層に積層されるように前記第１の粘着テープと前記転写粘着テープが積層された積層粘着テープであって、前記転写粘着テープは、前記第２の粘着テープが所定のパターンで打ち抜かれた形状を備えた装飾シールとなっている積層粘着テープを効率よく製造できるという効果を奏する。
【手続補正１７】
【補正対象書類名】明細書
【補正対象項目名】００２３
【補正方法】変更
【補正の内容】
【００２３】
請求項４に記載の発明の積層粘着テープの製造方法は、請求項１に記載した積層粘着テープを効率よく製造できるという効果を奏する。